(57)【特許請求の範囲】
【請求項１】
複数本のパネルコードの先端の複数のモジュラープラグをネットワーク装置の複数のコネクタの各々に対応させて個々に分離する仕切りケースと、前記仕切りケースの両開口面を閉止すると共に、前記複数のコネクタの各々に接続された複数のモジュラープラグのロックを解除するロック解除機構を備える蓋ケースとを備え、
前記ロック解除機構は、操作レバーと、該操作レバーの操作により駆動される解除レバーとを備えており、前記操作レバーおよび前記解除レバーは、前記操作レバーを操作すると、前記解除レバーが連動して前記モジュラープラグのロック解除レバーを押してロックを解除するように揺動可能な状態で前記蓋ケースに支持されている、ネットワーク装置の交換に用いる治具において、前記蓋ケースに、前記解除レバーの一部が露出される開口部を設けたネットワーク装置の交換に使用する治具。
【請求項２】
前記ネットワーク装置において、前記複数のコネクタと前記複数のモジュラープラグとが接続されていることを表示する表示光を前記蓋ケースの表面側に導く光導体を前記蓋ケースに設けた請求項１記載のネットワーク装置の交換に使用する治具。
【発明の詳細な説明】
【技術分野】
【０００１】
本発明は、データセンターやビルの各階に据え付けられて大量のデータを処理する複数のコンピュータに送受信するＬＡＮ（Local Area Network：ネットワーク）の設備におけるネットワーク装置（スイッチングハブ）を速やかに交換する方法およびそれに用いる治具に関する。
【背景技術】
【０００２】
ネットワーク装置、即ち、通常の“スイッチングハブ”は、例えば１２、２４または４８ポート（モジュラージャックの接続部）などの種類のものがデータ量に応じて使用されている。そのポートの数は、例えば上段の４〜６ポートと、下段の４〜６ポートとが１つのグループとして配列されており、上下のポートの合計で、８〜１２ポートが１つのグループを構成されている。これらの各ポートには、パネルコード（信号線）がそれぞれ接続されている。２４ポートのスイッチングハブの例としては、上段と下段の各４ポートの合計で８ポートが３ブロック設けられていることになる。
【０００３】
一方、横方向に配列された２個のポートの中心間の距離は、例えば１．１６ｍｍ、上下方向に配置されたポートの中心間の距離は、例えば４．３ｍｍとなっている。したがって、配線の初期段階においては、複数のポートのそれぞれにパネルコードの先端のモジュラープラグを差し込んで、パネルコードをスイッチングハブに接続する作業は比較的容易である。しかし、このスイッチングハブが組み上がった状態においては、大量のパネルコードが束状に密接した状態となる。従って、スイッチングハブを交換するためにパネルコードをポートより抜き取る作業は極めて煩雑で、かなりの時間を必要とする。
【０００４】
即ち、多数のポートにパネルコードが接続されている状態では、パネルコードが上下に所定の配置で密集して束状になっており、パネルコードを手作業で１本ずつ抜く場合は、パネルコードの間に指先を入れて１つ１つのモジュラープラグの解除レバーを押圧してポートより抜き出すことになる。このため、パネルコードの抜き取り作業は手間と時間のかかる面倒な作業となる。
【０００５】
ところで、現在使用されているスイッチングハブは、例えば５年を経過するとスイッチング性能が劣化して異常な信号を配信することがあるので、例えば５年毎に新品と交換するのが普通である。このスイッチングハブの交換作業は、この装置を中継してデータ信号を送受信しているユーザに対して、「装置の交換工事でデータ送受信が中断される予定」を事前に連絡して了承してもらう必要があり、しかも、この作業は顧客の仕事に支障が比較的少ない深夜に行う必要があったのである。
【０００６】
例えば１つのラックに３２ポートのスイッチングハブが５台取り付けられている装置の全部のスイッチングハブを交換する作業を行う場合は、約２５〜３５分の中継時間を必要としており、大量のデータを処理しているパソコンなどが接続されている場合には、この中継時間が多大の通信障害となる。
【０００７】
このようなスイッチングハブのコネクタからモジュラープラグを引き抜く（離脱させる）時にコネクタのロックを解除する操作レバーをモジュラープラグに設けた構成が提案されている。（例えば特許文献１参照）。
【先行技術文献】
【特許文献】
【０００８】
【特許文献１】特開２００８−１０２１０号公報
【発明の概要】
【発明が解決しようとする課題】
【０００９】
しかし、特許文献１においては、スイッチングハブからモジュラープラグを引き抜く作業の準備作業として、複数のパネルコードを再びスイッチングハブに整然と結線する際に、“誤配線”が発生しないように、隣接する複数のパネルコードを、紐によって“偏組”して配列の順序が狂わないように保持しておく整理作業が必要である。このパネルコードの偏組作業を行った後、スイッチングハブから１つ１つのモジュラープラグを引き抜き、その後は、古いスイッチングハブを撤去し、新たなスイッチングハブに交換するという順序で作業が進められる。
【００１０】
この特許文献１に記載されたモジュラープラグは、ロックを解除する操作レバーを前進させてモジュラープラグのロック解除用の操作レバーを押し下げ、コネクタとモジュラープラグとのロック状態を容易に解除することができる。しかし、この特許文献１に記載されたモジュラープラグを使用してスイッチングハブからパネルコードを離脱し、その短時間後に接続させる場合の操作は極めて煩雑である。即ち、スイッチングハブに複数本のパネルコードが束となって接続されているので、外し易い側部に配線されているものは別として、中央部に配線されているものまで個々のモジュラープラグを取り外す必要があり、その作業は繁雑で多くの時間を必要とする。
【００１１】
つまり、ロック解除部材を有するモジュラープラグを使用しても複数本のパネルコードが接続されているスイッチングハブの交換作業は、パネルコードを押し分けて行うことになるので、その作業は煩雑で、かなりの時間を消費せざるを得ないのである。
【００１２】
本発明の目的は、複数のモジュラープラグの脱着作業を容易にすることが可能なネットワーク装置の交換方法およびそれに用いる治具を提供することにある。
【課題を解決するための手段】
【００１４】
上記の目的を達成する本発明は、複数本のパネルコードの先端の複数のモジュラープラグをネットワーク装置の複数のコネクタの各々に対応させて個々に分離する仕切りケースと、前記仕切りケースの両開口面を閉止すると共に、前記複数のコネクタを各々に接続された複数のモジュラープラグのロックを解除するロック解除機構を備える蓋ケースとを備え、前記ロック解除機構は、操作レバーと、該操作レバーの操作により駆動される解除レバーとを備えており、前記操作レバーおよび前記解除レバーは、前記操作レバーを操作すると、前記解除レバーが連動して前記モジュラープラグのロック解除レバーを押してロックを解除するように揺動可能な状態で前記蓋ケースに支持されている、ネットワーク装置の交換に用いる治具において、前記蓋ケースに、前記解除レバーの一部が露出される開口部を設けたものである。
【００１７】
また、上記のネットワーク装置の交換に用いる治具は、前記ネットワーク装置において前記複数のコネクタと前記複数のモジュラープラグとが接続されていることを表示する表示光を前記蓋ケースの表面側に導く光導体を前記蓋ケースに設けた。
【発明の効果】
【００１８】
本発明のネットワーク装置の交換方法によれば、複数のモジュラープラグをその配列状態を維持したままネットワーク装置の複数のコネクタから一斉に離脱し、新たなネットワーク装置の複数のコネクタに一斉して接続することができるので、モジュラープラグの脱着作業を容易にすることができる。
【図面の簡単な説明】
【００１９】
【図１】本発明の実施の形態の治具であるプラグブロックの正面側から見た斜視図である。
【図２】図１のプラグブロックの上側の蓋ケースを外して内部を見せた斜視図である。
【図３】図１のプラグブロックの背面側から見た斜視図である。
【図４】図２のプラグブロックの背面側から見た斜視図である。
【図５】プラグブロックの平面図である。
【図６】プラグブロックの背面図である。
【図７】プラグブロックの側面図である。
【図８】図５のＡ−Ａ線の断面図である。
【図９】プラグブロックの動作を説明するための図５のＡ−Ａ線の断面図である。
【図１０】ネットワーク装置であるスイッチングハブの背面図である。
【図１１】プラグブロックの仕切りケースの正面図である。
【図１２】プラグブロックの仕切りケースの開口面の平面図である。
【図１３】図１１のＣ−Ｃ線の仕切りケースの断面図である。
【図１４】図１１の矢印Ｄの方向から見た仕切りケースの側面図である。
【図１５】（ａ）はプラグブロックの蓋ケースの平面図であり、（ｂ）は蓋ケースの側面図である。
【図１６】プラグブロックの蓋ケースの正面図である。
【図１７】プラグブロックの蓋ケースの背面図である。
【図１８】（ａ）はプラグブロックの操作レバーの平面図であり、（ｂ）は操作レバーの側面図である。
【図１９】プラグブロックの操作レバーの矢印Ｅの方向から見た正面図である。
【図２０】プラグブロックの操作レバーを矢印Ｆの方向から見た背面図である。
【図２１】（ａ）はプラグブロックの解除レバーの平面図であり、（ｂ）は解除レバーの側面図である。
【図２２】図５のＢ−Ｂ線のプラグブロックの断面図である。
【図２３】（ａ）はプラグブロックの光導体の拡大図であり、（ｂ）は光導体の側面図である。
【図２４】プラグブロックの光導体の部分の要部拡大斜視図である。
【図２５】プラグブロックの光導体が見えるように一部を破断して示した要部拡大斜視図である。
【図２６】プラグブロックの光導体とスイッチングハブの表示光用のＬＥＤとの位置関係を示した図である。
【図２７】プラグブロックの装着時のスイッチングハブ、プラグブロック、モジュラープラグおよびパネルコードを側面側から見た様子を模式的に示した図である。
【図２８】図２７を上面側から見た部分平面図である。
【図２９】プラブブロックの装着後のスイッチングハブ、プラグブロック、モジュラープラグおよびパネルコードを側面側から見た様子を模式的に示した図である。
【発明を実施するための形態】
【００２０】
以下、本発明の実施の形態のネットワーク装置の交換に使用する治具について添付の図面を参照しながら詳細に説明する。
【００２１】
図１は本実施の形態の治具であるプラグブロックの正面側から見た斜視図、図２は図１のプラグブロックの上側の蓋ケースを外して内部を見せた斜視図、図３は図１のプラグブロックの背面側から見た斜視図、図４は図２のプラグブロックの背面側から見た斜視図、図５はプラグブロックの平面図、図６はプラグブロックの背面図、図７はプラグブロックの側面図、図８は図５のＡ−Ａ線の断面図、図９はプラグブロックの動作を説明するための図５のＡ−Ａ線の断面図、図１０はネットワーク装置であるスイッチングハブの背面図を示している。
【００２２】
本実施の形態のプラグブロック１は、スイッチングハブＳＨ(図１０参照)の複数のコネクタＣＮに電気的に接続された複数のモジュラープラグ２ａを一斉に抜き取り、新たなスイッチングハブＳＨの複数のコネクタＣＮに一斉に電気的に接続する機能を有している。
【００２３】
このプラグブロック１を用いた場合、1グループＧの複数のコネクタＣＮの配列状態に対応する複数のモジュラープラグ２ａの配列状態を維持したまま、複数のモジュラープラグ２ａを脱着することができるので、スイッチングハブＳＨの交換時に、誤配線を招くことなく、複数のモジュラープラグ２ａを容易に脱着することができる。
【００２４】
なお、モジュラープラグ２ａはパネルコード２ｂの先端に電気的に接続されている。また、図１〜図４では、図面を見易くするため、プラグブロック１に１個のモジュラープラグ２ａを挿入した状態を示しているが、実際には複数のモジュラープラグ２ａが挿入される。
【００２５】
プラグブロック１は、仕切りケース３と、蓋ケース４とを備えている。仕切りケース３は、複数のモジュラープラグ２ａをスイッチングハブＳＨの複数のコネクタＣＮの各々に対応させて個々に分離するように、正面から見て略格子状に形成されている。この仕切りケース３により、モジュラープラグ２ａが挿入され、パネルコード２ｂが収容される空間５が形成される。
【００２６】
蓋ケース４は、仕切りケース３の上下両側において、仕切りケース３の開口面を閉止するように嵌合して固定されている。この蓋ケース４には、ロック解除機構６が備えられている。このロック解除機構６は、スイッチングハブＳＨの複数のコネクタＣＮの各々に接続された複数のモジュラープラグ２ａのロックを解除する機構であり、操作レバー７と、その操作レバー７の操作により駆動される解除レバー８とを備えている。この操作レバー７および解除レバー８は、プラグブロック１の背面から正面（コネクタＣＮ側）に向かって順に隣接した状態で配置されており、その各々の隣接端側が部分的に重なっている。そして、操作レバー７を操作すると、解除レバー８が連動してモジュラープラグ１のロック解除レバーを押してロックを解除するように揺動可能な状態で蓋ケース４に支持されている。
【００２７】
このようなプラグブロック１は、後述のように、分解と組立とが簡単にできる構造となっている。これにより、スイッチングハブＳＨの複数のコネクタＣＮに複数のモジュラープラグ２ａが既に接続されている状態であっても、プラグブロック１を複数のパネルコード２ｂを収容するように取り付けることができる。
【００２８】
また、このプラグブロック１を用い、スイッチングハブＳＨから複数のモジュラープラグ２ａを取り外すには、図９に示すように、上下２つの操作レバー７，７を指先で摘み、矢印Ｐに示す方向に力を加える。これにより、操作レバー７，７の先端部が矢印ｑに示す方向に移動し、その操作レバー７に重なっている解除レバー８の後端部も矢印ｑの方向に移動する。それに伴って解除レバー８の先端部が矢印ｒに示す方向に押し込まれる。その結果、解除レバー８がモジュラープラグ２ａのロック解除レバー２ｃを押し下げてコネクタＣＮとの係合を解除することができる。この状態でプラグブロック１をスイッチングハブＳＨから離れる方向に後退させると、複数のモジュラープラグ２ａの一群（集合）を、その配列状態を維持したまま取り外すことができる。
【００２９】
次に、プラグブロック１の「構成部品」について図１〜図２３を参照して説明する。
【００３０】
[仕切りケース]
まず、仕切りケース３について説明する。図１１は仕切りケース３の正面図、図１２は仕切りケース３の開口面の平面図、図１３は図１１のＣ−Ｃ線の仕切りケースの断面図、図１４は図１１の矢印Ｄの方向から見た仕切りケースの側面図を示している。
【００３１】
仕切りケース３は、基板部３ａと、この基板部３ａの長手方向両端に基板部３ａの上下面に対して直交して設けられた側板３ｂと、この側板３ｂ，３ｂの間を等分して配置され、基板部３ａの上下面に対して直交して設けられた３枚の仕切り板３ｃとを一体的に備えている。
【００３２】
この基板部３ａには、その上下面を貫通する切除部３ｄ，３ｅが形成されており、基板部３ａの上下面には、片持ち状の係止板３ｆが基板部３ａと一体的に形成されている。この係止板３ｆは、モジュラープラグ２ａをプラグブロック１に固定するための部材であり、各空間５において、プラグブロック１の前面から背面に向かって２つ、これに交差する方向に向かって２つ、合計４つ並んで配置されている。
【００３３】
各係止板３ｆは、板バネとしての機能を備え、その先端には空間５側に突出する突部が形成されている。図９に示すように、モジュラープラグ２ａは、その底面の突部２ｄが、長手方向に並んだ２つの係止板３ｆ，３ｆの突部間に嵌め合わされることでプラグブロック１に固定される。また、図１２に示すように、各空間５において幅方向に並んだ２つの係止板３ｆは、基板３ａの上面側と下面側とにそれぞれ配置されるモジュラープラグ２ａを固定するものである。
【００３４】
また、仕切り板３ｃの先端部には、断面Ｔ字状の係合縁３ｇが仕切り板３ｃと一体的に形成されている。また、側板３ｂの一部には、その表裏面を貫通する開口部３ｈが形成されている。この係合縁３ｇおよび開口部３ｈは、蓋ケース２およびロック解除機構６を着脱自在に固定するための部分である。
【００３５】
[蓋ケース]
次に、蓋ケース４について説明する。図１５（ａ）は蓋ケースの平面図、図１５（ｂ）は蓋ケースの側面図、図１６は蓋ケースの正面図、図１７は蓋ケースの背面図を示している。
【００３６】
蓋ケース４は、蓋板４ａと、この蓋板３ａの長手方向両端に蓋板の上下面に対して直交して設けられた側板４ｂと、蓋板４ａの裏面に設けられた把持突起４ｃとを備えている。
【００３７】
蓋板４ａには、空間５毎に蓋板４ａの表裏面を貫通する開口部４ｄが形成されており、ここから解除レバー８の一部を目視することができる。これにより、解除レバー８がモジュラープラグ２ａのロック解除レバー２ｃをしっかりと押さえているか否かを目視することができる。
【００３８】
側板４ｂには、上記した仕切りケース３の側板３ｂの開口部３ｈに嵌め合わされる突起部４ｅが形成されている。また、把持突起４ｃの楔形状の凹部に、上記した仕切りケース３の仕切り板３ｃの先端の係合縁３ｇが嵌合される。
【００３９】
[操作レバー]
次に、操作レバー７について説明する。図１８（ａ）は操作レバー７の平面図、同図（ｂ）は操作レバー７の側面図、図１９は操作レバー７の矢印Ｅの方向から見た正面図、図２０は操作レバー７を矢印Ｆの方向から見た背面図を示している。
【００４０】
操作レバー７において、把持部７ａの後部には、例えば４個の操作部７ｂが櫛形に一体的に形成されている。各操作部７ｂの長手方向の中央には、操作レバー７を蓋ケース４に軸支するための軸部７ｃが形成されている。操作部７ｂは、２枚のレバー７ｄと、これらを連結する連結片７ｅとを備えている。
【００４１】
[解除レバー]
次に、解除レバー８について説明する。図２１（ａ）は解除レバー８の平面図、同図（ｂ）は解除レバー８の側面図を示している。
【００４２】
解除レバー８は、２本の腕部８ａと、これらの端部を連結する連結片８ｂとによって平面略Ｕ字状に形成されている。連結片８ｂは、モジュラープラグ２ａのロック解除レバー２ｃを押さえる部分である。
【００４３】
この２本の腕部８ａの長手方向中央には、解除レバー８を蓋ケース４に軸支するための軸部８ｃが形成されている。また、解除レバー８において、連結片８ｂとは反対側には、解除レバー８の揺動角度を規制する止め部８ｄが設けられている。
【００４４】
[光導体]
次に光導体９について説明する。図２２は図５のＢ−Ｂ線の断面図、図２３（ａ）は光導体の拡大図、同図（ｂ）は図２３（ａ）の光導体の側面図、図２４はプラグブロックの光導体の部分の要部拡大斜視図、図２５はプラグブロックの光導体が見えるように一部を破断して示した要部拡大斜視図、図２６はプラグブロックの光導体とスイッチングハブの表示光用のＬＥＤとの位置関係を示した図である。
【００４５】
光導体９は、例えば断面略Ｌ字状（屈曲形状）の光の減衰量がプラグブロック１を透明材料で形成した場合よりも小さな透明なアクリルからなり、スイッチングハブＳＨのＬＥＤ（発光表示部）１０からの表示光Ｌｔをプラグブロック１の表面（ここでは蓋板４ａの表面）側に導き、目視可能とするための部材である。
【００４６】
光導体９は、複数の空間５毎（複数のコネクタＣＮ毎あるいは複数のモジュラープラグ２ａ毎）に設置されており（図１等参照）、それぞれスイッチングハブＳＨの背面に対向する第１光導体部分９ａと、これに直交する第２光導体部分９ｂとを一体的に備えている。図２３および図２６に示すように、プラグブロック１の第２光導体部分９ｂの下部は、プラグブロック１をスイッチングハブＳＨに取り付けた時に、スイッチングハブＳＨのＬＥＤ１０に対向するようになっている。
【００４７】
また、光導体９は、プラグブロック１の蓋板４ａに形成された溝４ｆに嵌合され接着剤で固定されている。この蓋板４ａにおいて第２光導体部分９ｂの先端の向かい側には、溝４ｆの一部が残されている。この溝４ｆの内面には光を反射するための反射層を形成しても良い。
【００４８】
このような光導体９を配置した理由は、スイッチングハブＳＨの複数のコネクタＣＮに、プラグブロック１を用いて複数のモジュラープラグ２ａを接続した場合に、スイッチングハブＳＨの表示光Ｌがプラグブロック１により遮られ、表示光Ｌを目視できない場合があるので、そのような不具合を回避するたである。
【００４９】
すなわち、図２３に示すように、ＬＥＤ１０から放射された表示光Ｌｔは、第１光導体部分９ｂの下部から入射し、反射面Ｓ１で反射されて上方に導かれ、反射面Ｓ２で反射されて第２光導体部分９ｂに入射する。そして、一部は第２光導体部分９ｂの反射面Ｓ３で反射して上方へ放射されるとともに、一部は直進して溝４ｆ側に放射される。これにより、スイッチングハブＳＨの表示光Ｌｔを目視することができるので、安全確実にモジュラ−プラグ２ａを脱着することができる。
【００５０】
次に、プラグブロック１を用いたスイッチングハブＳＨの交換方法について図２７〜図２９を参照して説明する。図２７は、プラグブロック１の装着時のスイッチングハブＳＨ、プラグブロック１、モジュラープラグ２ａおよびパネルコード２ｂを側面側から見た様子を模式的に示した図、図２８は図２７を上面側から見た部分平面図、図２９はプラブブロック１の装着後のスイッチングハブＳＨ、プラグブロック１、モジュラープラグ２ａおよびパネルコード２ｂを側面側から見た様子を模式的に示した図である。
【００５１】
複数のモジュラープラグ２ａは、図２７および図２８に示すように、古いスイッチングハブＳＨの複数のコネクタＣＮに接続されている。
【００５２】
まず、図２７および図２８に示すように、プラグブロック１から分解された仕切りケース３を用意し、これを複数本のパネルコード２ｂの束の中を分けながら複数本のパネルコード２ｂの間に、パネルコード２ｂを整然と分離するように配置する。
【００５３】
続いて、プラグブロック１から分解された蓋ケース４を用意し、これを仕切りケース３の開口面側にスライドさせて、仕切りケース３に嵌合固定する。これにより、仕切りケース３と蓋ケース４とを備えるプラグブロック１を組み立てる。
【００５４】
続いて、図２９に示すように、プラグブロック１をモジュラープラグ２ａの首のところまでスライドさせる。この時、モジュラープラグ２ａの底面の突部２ｄが、プラグブロック１の前面側の係止板３ｆの突起に当たりその係止板３ｆを撓ませながらスライドし、丁度、スライド方向の２つの係止板３ｆ，３ｆの突起間に位置したところで、前側の係止板３ｆが元の状態に戻る。これにより、モジュラープラグ２ａは、その底面の突部２ｄが長手方向に並んだ２つの係止板３ｆに挟まれることでしっかりと押さえられプラグブロック１に固定される。
【００５５】
この状態で、操作レバー７，７を、図９で示したように、指先で摘むことにより、モジュラープラグ２ａのロックを解除した状態で、プラグブロック１を後方に引くことで、複数本のモジュラープラグ２ａをスイッチングハブＳＨから一斉に離脱させる。
【００５６】
その後、スイッチングハブＳＨを、新しいスイッチングハブＳＨに交換した後、その新しいスイッチングハブＳＨの複数のコネクタＣＮに、プラグブロック１の複数本のモジュラープラグ２ａを一斉に接続する。これにより、誤配線を招くことなく、容易に複数のモジュラープラグ２ａを脱着することができるので、スイッチングハブＳＨの交換を容易にすることができる。
【産業上の利用可能性】
【００５７】
本発明のネットワーク装置を交換するのに使用する治具は、モジュラープラグの脱着作業を容易にすることができるので、例えばＬＡＮ等のネットワーク装置を交換するのに使用する治具に利用できる。
【符号の説明】
【００５８】
１  プラグブロック（治具）
２ａ  モジュラープラグ
２ｂ  パネルコード
２ｃ  ロック解除レバー
２ｄ  突起
３  仕切りケース
３ａ  基板部
３ｂ  側部
３ｃ  仕切り板
３ｄ，３ｅ  切除部
３ｆ  係止板
３ｇ  係合縁
３ｈ  開口部
４  蓋ケース
４ａ  蓋部
４ｂ  側部
４ｃ  把持突起
４ｄ  開口部
４ｅ  突起部
４ｆ  溝
５  空間
６  ロック解除機構
７  操作レバー
７ａ  把持部
７ｂ  操作部
７ｃ  軸部
７ｄ  レバー
７ｅ  連結片
８  解除レバー
８ａ  腕部
８ｂ  連結片
８ｃ  軸部
８ｄ  止め部
９  光導体
９ａ  第１光導体部分
９ｂ  第２光導体部分
１０  ＬＥＤ
ＳＨ  スイッチングハブ（ネットワーク装置）
ＣＮ  コネクタ
Ｌｔ  表示光
【図１】
0005559589.tif 000002
【図２】
0005559589.tif 000003
【図３】
0005559589.tif 000004
【図４】
0005559589.tif 000005
【図５】
0005559589.tif 000006
【図６】
0005559589.tif 000007
【図７】
0005559589.tif 000008
【図８】
0005559589.tif 000009
【図９】
0005559589.tif 000010
【図１０】
0005559589.tif 000011
【図１１】
0005559589.tif 000012
【図１２】
0005559589.tif 000013
【図１３】
0005559589.tif 000014
【図１４】
0005559589.tif 000015
【図１５】
0005559589.tif 000016
【図１６】
0005559589.tif 000017
【図１７】
0005559589.tif 000018
【図１８】
0005559589.tif 000019
【図１９】
0005559589.tif 000020
【図２０】
0005559589.tif 000021
【図２１】
0005559589.tif 000022
【図２２】
0005559589.tif 000023
【図２３】
0005559589.tif 000024
【図２４】
0005559589.tif 000025
【図２５】
0005559589.tif 000026
【図２６】
0005559589.tif 000027
【図２７】
0005559589.tif 000028
【図２８】
0005559589.tif 000029
【図２９】
0005559589.tif 000030